(57)【要約】      （修正有）【課題】操作部材の連続的な操作軌跡に対し離散的な領域指示を可能にするカメラを提供する。【解決手段】手動操作の方向を示す信号を出力する操作手段と、信号に基づいて、第１の姿勢における操作手段による操作の方向が、各々方向の異なる２つの境界線に挟まれる第１の領域内にあるか否かを判定する第１判定手段と、第１判定手段により、操作手段による操作の方向が、第１の領域内にあると判定された際に、第１の領域内の所定の方向を指示方向とする第１指示手段と、信号に基づいて、第２の姿勢における操作手段による操作の方向が、各々方向の異なる２つの境界線に挟まれる第２の領域内にあるか否かを判定する第２判定手段と、第２判定手段により、操作手段による操作の方向が、第２の領域内にあると判定された際に、第２の領域内の所定の方向を指示方向とする第２指示手段と、指示方向に基づいて、マークの移動方向を決定する決定手段とを備える。【選択図】図２
2007058226.tif 000002
【特許請求の範囲】
【請求項１】
カメラが第１の姿勢で構えられた場合に操作される第１のシャッタボタンと、
前記カメラが第２の姿勢で構えられた場合に操作される第２のシャッタボタンと、
表示画面内の任意の位置に表示されるマークを移動させる方向を指定するために、任意の方向に手動操作可能であって、前記手動操作の方向を示す信号を出力する操作手段と、
前記信号に基づいて、前記第１の姿勢における前記操作手段による操作の方向が、各々方向の異なる２つの境界線に挟まれる第１の領域内にあるか否かを判定する第１判定手段と、
前記第１判定手段により、前記操作手段による操作の方向が、前記第１の領域内にあると判定された際に、前記第１の領域内の所定の方向を指示方向とする第１指示手段と、
前記信号に基づいて、前記第２の姿勢における前記操作手段による操作の方向が、各々方向の異なる２つの境界線に挟まれる第２の領域内にあるか否かを判定する第２判定手段と、
前記第２判定手段により、前記操作手段による操作の方向が、前記第２の領域内にあると判定された際に、前記第２の領域内の所定の方向を指示方向とする第２指示手段と、
前記指示方向に基づいて、前記マークの移動方向を決定する決定手段と
を備えたことを特徴とするカメラ。
【請求項２】
請求項１に記載のカメラにおいて、
前記カメラが前記第１の姿勢と前記第２の姿勢とのいずれであるかを判断する姿勢判断手段と、
前記姿勢判断手段の判断に基づいて、前記第１判定手段および前記第１指示手段を選択する第１モードと、前記第２判定手段および前記第２指示手段を選択する第２モードとを切り替える制御手段とを更に有する
ことを特徴とするカメラ。
【請求項３】
請求項１または請求項２に記載のカメラにおいて、
光学系と、
前記光学系の自動焦点調節を行う自動焦点調節手段とを更に有し、
前記マークは、前記表示画面内の任意の位置に表示される前記自動焦点調節をするための焦点調節領域を示すマークである
ことを特徴とするカメラ。
【請求項４】
複数の露出条件項目をそれぞれ同時に異なる位置に表示し、前記複数の露出条件項目の１つを特定するマークを表示画面内に表示可能な表示手段と、
手動操作の方向である手動操作方向に基づいて前記複数の露出条件項目の１つを特定する前記マークの表示形態を決定するために任意の方向に手動操作可能な操作手段と、
前記操作手段による操作の方向が、各々方向の異なる２つの境界線に挟まれる領域内にあるか否かを判定する判定手段と、
前記判定手段により、前記操作手段による操作の方向が、前記２つの境界線に挟まれる領域内にあると判定された際に、前記２つの境界線に挟まれる領域内の所定の方向を指示方向とする指示手段と、
前記指示方向に基づいて前記マークの表示形態を決定する表示形態決定手段と
を備えたことを特徴とするカメラ。
【請求項５】
請求項４記載のカメラにおいて、
前記露出条件項目は、シャッタタイムと絞り値と露出モードと露出補正値との少なくとも１つを含む
ことを特徴とするカメラ。
【請求項６】
請求項１から請求項５のいずれか一項に記載のカメラにおいて、
前記操作手段は、手動操作をボールの回転に置換して検出する方式のものである
ことを特徴とするカメラ。
【請求項７】
請求項１から請求項５のいずれか一項に記載のカメラにおいて、
前記操作手段は、手動操作された接触点を検出する方式のものである
ことを特徴とするカメラ。                                                                               
【発明の詳細な説明】
【技術分野】
【０００１】
本発明は、トラックボールやタッチパネル等の操作部材を操作して表示画面内の領域を指定するカメラに関する。
【背景技術】
【０００２】
カメラにおいては、撮影者自身が測光モード、露出モード、測距モード等の作動内容を設定できる機能を備えたものが増加している。その操作形態は、それぞれ専用の選択ダイアルにて設定するアナログ的方法、モード選択ボタンとアップダウンボタンの併用にて設定するデジタル的方法の何れかに大別できる。
何れの方法においても、被写体の輝度、位置などの急激な変化に合わせて的確な露光が得られなければならないため、それらの操作部材は、迅速に変更調整操作のできること、更に様々な手の大きさを有するあらゆる撮影者に対して使用できることが必要である。
【０００３】
一方、パソコンでは、ポインティングデバイスとして、下面にボールを設けたマウスと称される装置を机上で滑らせ、ボールの回転方向で選択指示をするマウス方式、棒を任意の方向に指で倒して方向指示をするスティック方式、専用のパネル表面を指先で触れながら移動させることでその指示方向を検出するタッチパネル方式等のものが採用されている。
【特許文献１】特開平６−１４８７１４号公報
【発明の開示】
【発明が解決しようとする課題】
【０００４】
ところで、本発明者は、トラックボールが本来有する平面内の任意方向の位置を選択する機能に着目してかかるトラックボールで被写体の測距位置を選択指示する方法を開発し先に出願した（特開平６−１４８７１４号公報）。
このものは、トラックボールをカメラの背面に設置して測距位置を指定する方式のもので、概略図１１と図１２及び図１３と図１４に示すようになっている。
【０００５】
図１１及び図１３は、本発明者の先の出願に係るカメラの背面図である。図１２及び図１４は、表示器に示される複数の測距エリアを示す図である。
図１１において、カメラ１の背面にトラックボール１０を設けてあるが、右手でカメラ１を通常位置（横位置）の姿勢に構え、右手親指１５の先端でトラックボール１０を上下方向１１及び左右方向１２へ、更にそれらの中間方向へ回転させることができる。このとき、右手の人差し指はシャッタボタン３を押せる位置にある。
【０００６】
図１２において、表示器５には、２５個の測距エリア２０Ａ〜２０Ｅ、２１Ａ〜２１Ｅ、２２Ａ〜２２Ｅ、２３Ａ〜２３Ｅ、２４Ａ〜２４Ｅが用意されており、トラックボール１０の操作で任意の測距エリアを選択するのである。なお、選択された測距エリアはセグメントが点滅して選択された旨を表示し、他の非選択のエリアと区別できるようになっている。
【０００７】
また、図１３は、右手でカメラ１を縦位置の姿勢に構え、右手親指１５の先端でトラックボール１０を上下方向１３及び左右方向１４へ、更にそれらの中間方向へ回転を与える様子を示している。このとき、右手の人差し指は別設のシャッタボタン４を押せる位置にある。また、図１４は、図１２と同様の表示例である。
この先の出願に係るトラックボールを採用する方式のものでは、トラックボールの操作内容を逐一読み取り、トラックボールに加えられた操作方向を忠実に反映させるようにしているが、図１２及び図１４の表示例で言えば、現実に指示される対象は離散配置される２５個の測距エリアであるので、かかる用途ではトラックボールの回転を忠実に反映させる必要はないと言える。
【０００８】
つまり、トラックボールで指示する対象が離散的である場合に、トラックボールの回転を忠実に反映させる方式を採用することは、処理時間や構成要素に無駄が生じる。
以上は、カメラへの適用例であるが、いわゆるパソコンでのマウス操作でも同様のことが言える。即ち、パソコンでは、画面上で指示すべき対象は全方向に連続して存在するが、実際の操作では、連続した切れ目のない指示をすることは少なく、多くの場合指示位置は離散的である。
【０００９】
本発明は、このような課題を解決すべく創作されたもので、その目的は、連続的な操作軌跡に対し離散的な領域指示を可能にするカメラを提供することにある。
【課題を解決するための手段】
【００１０】
本発明のカメラは、カメラが第１の姿勢で構えられた場合に操作される第１のシャッタボタンと、前記カメラが第２の姿勢で構えられた場合に操作される第２のシャッタボタンと、表示画面内の任意の位置に表示されるマークを移動させる方向を指定するために、任意の方向に手動操作可能であって、前記手動操作の方向を示す信号を出力する操作手段と、前記信号に基づいて、前記第１の姿勢における前記操作手段による操作の方向が、各々方向の異なる２つの境界線に挟まれる第１の領域内にあるか否かを判定する第１判定手段と、前記第１判定手段により、前記操作手段による操作の方向が、前記第１の領域内にあると判定された際に、前記第１の領域内の所定の方向を指示方向とする第１指示手段と、前記信号に基づいて、前記第２の姿勢における前記操作手段による操作の方向が、各々方向の異なる２つの境界線に挟まれる第２の領域内にあるか否かを判定する第２判定手段と、前記第２判定手段により、前記操作手段による操作の方向が、前記第２の領域内にあると判定された際に、前記第２の領域内の所定の方向を指示方向とする第２指示手段と、前記指示方向に基づいて、前記マークの移動方向を決定する決定手段とを備える。
【００１１】
なお、好ましくは、前記カメラが前記第１の姿勢と前記第２の姿勢とのいずれであるかを判断する姿勢判断手段と、前記姿勢判断手段の判断に基づいて、前記第１判定手段および前記第１指示手段を選択する第１モードと、前記第２判定手段および前記第２指示手段を選択する第２モードとを切り替える制御手段とを更に有しても良い。
また、好ましくは、光学系と、前記光学系の自動焦点調節を行う自動焦点調節手段とを更に有し、前記マークは、前記表示画面内の任意の位置に表示される前記自動焦点調節をするための焦点調節領域を示すマークであっても良い。
【００１２】
本発明の別のカメラは、複数の露出条件項目をそれぞれ同時に異なる位置に表示し、前記複数の露出条件項目の１つを特定するマークを表示画面内に表示可能な表示手段と、手動操作の方向である手動操作方向に基づいて前記複数の露出条件項目の１つを特定する前記マークの表示形態を決定するために任意の方向に手動操作可能な操作手段と、前記操作手段による操作の方向が、各々方向の異なる２つの境界線に挟まれる領域内にあるか否かを判定する判定手段と、前記判定手段により、前記操作手段による操作の方向が、前記２つの境界線に挟まれる領域内にあると判定された際に、前記２つの境界線に挟まれる領域内の所定の方向を指示方向とする指示手段と、前記指示方向に基づいて前記マークの表示形態を決定する表示形態決定手段とを備える。
【００１３】
なお、好ましくは、前記露出条件項目は、シャッタタイムと絞り値と露出モードと露出補正値との少なくとも１つを含んでも良い。
また、好ましくは、前記操作手段は、手動操作をボールの回転に置換して検出する方式のものであっても良い。
また、好ましくは、前記操作手段は、手動操作された接触点を検出する方式のものであっても良い。
【発明の効果】
【００１４】
請求項１に記載の本発明のカメラは、カメラが第１の姿勢であっても第２の姿勢であっても、表示画面内のマークを使用者の所望する適切な方向に移動することができる。
請求項４に記載の本発明のカメラは、表示画面内に表示される複数の露出条件項目の１つを特定するマークの表示形態を、使用者の所望する適切な表示形態とすることができる。
【発明を実施するための最良の形態】
【００１５】
以下、本発明の実施の形態を図面を参照して説明する。
図１は、本発明の第１実施の形態のカメラの外観図である。図１において、横にした通常位置のカメラ１の前面（図中紙背側）にはレンズ２が装着され、カメラ１の背面（図中紙表側）にはファインダ６が設けられ、レンズ２を通過した被写体像をこのファインダ６で視認できるようになっている。
【００１６】
また、カメラ１の上面には、背面側から見て右側に表示器５が設けられる。この表示器５は、ファインダ６内に配設される場合もあるが、この表示器５により露出、測光、測距等の各種モードの設定内容を視認できるようになっている。
また、カメラ１の上面には、背面側から見て右側の図中紙背側への迫り出し部分にシャッタボタン３が配置される。なお、同じ迫り出し部分の側部には、もう１つのシャッタボタン４を配設してある。これはカメラ１を縦位置に構えた際に使用されるものである。
【００１７】
周知のように、シャッタボタン３、４の操作では、半押しの第１段階の押圧で内部回路への給電が行われ、全押しの第２段階の押圧で装填されているフイルムへの露光が行われる。そして、カメラ１の背面（図中紙表側）には、本発明の操作手段の１つであるトラックボール１０が設けられる。このトラックボール１０は、カメラ１を右手で支持して構えた時に右手の親指先端が自然にかかる位置に配置される。
【００１８】
前述（図１１〜図１４）したように、トラックボール１０は、先の出願では測距エリアの選択のみに使用されたが、本実施の形態では更に校正モードにおいても使用され、また、露出モードに関するシャッタタイムや絞り値等の要素を選択設定するのにも使用される。
また、カメラ１の上面には、背面側から見て左側に、モードスイッチ７と校正ボタン８が設けられ、更に図示省略したが、変更ボタンも設けられる。モードスイッチ７は、本実施の形態では、測距モードと露出モードの２つのモードに切り換える場合に使用される。変更ボタンは、露出モードにおいてシャッタタイムや絞り値等の値を変更する場合に使用される。
【００１９】
校正ボタン８は、本実施の形態のカメラを校正モードに設定するものである。校正モードでは、撮影者にトラックボール１０を操作させ、信号を生成し、それを蓄積する。
更に、カメラボディ内には、姿勢センサ９が設けられ、カメラ１を構えた時の姿勢を検出できるようになっている。カメラ１の姿勢は、撮影者の操作に影響を与えるので、校正モードで取得するデータに姿勢を反映させるため設けてある。なお、姿勢センサ９による姿勢検知方法については、実開昭６４−９２２９号公報に詳述されているので、その説明を割愛する。
【００２０】
次に、図２は、本発明の実施の形態のカメラの構成図である。図２の上段において、トラックボール１０の側周囲には、２つのローラ４０Ａ、４０Ｂがそれぞれの一端をトラックボール１０の側周面に接触して設けられる。
つまり、トラックボール１０が上下方向１１、左右方向１２（縦位置撮影の場合はそれぞれ１３、１４）に回転操作されると、２つのローラ４０Ａ、４０Ｂが連れ周りして回転する。言うまでもなく、斜め方向への回転は、ローラ４０Ａ、４０Ｂの両者に分割して伝えられる。
【００２１】
ローラ４０Ａ、４０Ｂの他端には、それぞれ円盤状のセクタ４５Ａ、４５Ｂが固定される。セクタ４５Ａ、４５Ｂの外表面には、図示するように、それぞれ半径方向に向かうスリットが同一ピッチで刻まれている。
そして、円盤状のセクタ４５Ａ、４５Ｂの外周縁部には、それぞれフォトカプラ４３Ａ、４３Ｂが設けられる。フォトカプラ４３Ａ、４３Ｂは、通過するスリットの数、つまりトラックボール１０の回転量と、スリットの通過方向、つまりトラックボール１０の回転方向とを表すパルス信号を発生する。
【００２２】
それらのパルス信号は、図２の下段に示すインタフェース回路（以下「ＩＮＴ」と言う）５６を介して中央処理装置（以下「ＣＰＵ」と言う）５７に取り込まれ、トラックボール１０の回転量、回転方向として認識される。
次に図２の下段において、ＣＰＵ５７は、カメラ動作制御の中枢であり、ＩＮＴ５６、５９を介して情報の入力と制御を実行する。また、ＣＰＵ５７は、記憶回路（以下「ＭＥＭ」と言う）５８と直接データ授受を行う。
【００２３】
具体的には、ＭＥＭ５８には、校正モード時及び実際の操作時におけるトラックボール１０の操作に関する各種データが格納される。
ＩＮＴ５６、ＣＰＵ５７に関しては、まずＩＮＴ５６を介して、前述したフォトカプラ４３Ａ、４３Ｂの出力パルス信号を取り込み、姿勢センサ９の姿勢信号を取り込む。
また、ＩＮＴ５６を介して、レンズ２を含む光学系５１を介した測光センサ５０と測距センサ５２への被写体像をそれらから取り込み、測距センサ５２から被写体の合焦状態に関する信号を取り込み、装填されているフィルムの感度を感度検出回路５３から取り込み、フォーカスモータ５４を駆動して合焦状態を実現する。更に、ＩＮＴ５６を介してスイッチ群５５の各種のスイッチからカメラ１内のシーケンス状態を示す各種の信号を取り込む。
【００２４】
また、ＩＮＴ５９を介して、表示器５を駆動して露光条件、測距条件などの表示を行い、シャッタ６０を開閉してフィルムへの露光時間を制御し、絞り６１の開口量を制御してフィルムへ到達する被写体光量を制御し、給送モータ６２を駆動してフィルムの巻き上げ、巻き戻しを制御する。
次に、図３は、校正モードでの表示例及び操作手順の説明図である。本発明の校正モードは、校正ボタン８を押下すると、ＣＰＵ５７が、露出に関する作動を全て禁止し、校正モードのプログラムを実行することにより実現される。
【００２５】
即ち、ＣＰＵ５７は、表示器５の表示画面に図３（ａ）（ｃ）（ｅ）に示すような操作方向指示の表示をして、撮影者にその指示表示に従った図３（ｂ）（ｄ）（ｆ）のような操作を行わせ、カメラ１の姿勢に合わせて「操作方向指示」と「トラックボール１０の回転操作軌跡」との対応関係を取得し、それに基づき方向信号形成データを生成し、ＭＥＭ５８に格納する処理が行われる。実際の撮影時では、操作により指定する領域を記憶内容に基づいて特定する。
【００２６】
以下、具体的なデータ取得方法を図３を参照して説明する。なお、図３は、説明の便宜上、本発明の校正モード用の表示画面として図１２に示した測距エリアの表示画面を利用した場合を示している。従って、測距エリア２４Ａ等と同一名称を用いて説明する。
図３（ａ）は、起点として最左端下の測距エリア２４Ａを連続点灯し、終点として最右端下の測距エリア２４Ｅを点滅灯させ、左から右へ水平に操作させる指示を行う場合を示す。
【００２７】
図３（ｂ）は、撮影者が、図３（ａ）の操作指示に従い親指１５でトラックボール１０を右方向３０へ回転操作する様子を示す。撮影者は、表示器５の表示を見て測距エリアの指定を２４Ａから２４Ｅに移すつもりでトラックボール１０を回転操作するのである。この回転操作は、水平ベクトル成分と垂直ベクトル成分とで規定される操作軌跡の形で操作指示と関連付けてＭＥＭ５８に格納される。
【００２８】
図３（ｃ）は、ＭＥＭ５８への格納動作を終了したので、次のデータを取得すべく、起点として最左端下の測距エリア２４Ａを連続点灯し、終点として最右端下の測距エリア２４Ｅの１つ上の測距エリア２３Ｅを点滅灯させ、左から右へ水平方向から少し右上がりに操作させる指示を行う場合を示す。
図３（ｄ）は、撮影者が、図３（ｃ）の操作指示に従い、親指１５でトラックボール１０を右上がり方向３１へ回転操作する様子を示す。撮影者は、前述と同様に、表示器５の表示を見て測距エリアの指定を２４Ａから２３Ｅに移すつもりでトラックボール１０を回転操作するのである。この回転操作は、水平ベクトル成分と垂直ベクトル成分とで規定される操作軌跡の形で操作指示と関連付けてＭＥＭ５８に格納される。
【００２９】
図３（ｅ）は、ＭＥＭ５８への格納動作を終了したので、次のデータを取得すべく、起点として最左端下の測距エリア２４Ａを連続点灯し、終点として最右端測距エリア２２Ｅを点滅灯させ、左から右へ水平方向から更に少し右上がりに操作させる指示を行う場合を示す。
図３（ｆ）は、撮影者が、図３（ｅ）の操作指示に従い、親指１５でトラックボール１０を更に右上がり方向３２へ回転操作する様子を示す。撮影者は、前述と同様に、表示器５の表示を見て測距エリアの指定を２４Ａから２２Ｅに移すつもりでトラックボール１０を回転操作するのである。この回転操作は、水平ベクトル成分と垂直ベクトル成分とで規定される操作軌跡の形で操作指示と関連付けてＭＥＭ５８に格納される。
【００３０】
以降同様に、起点として最左端下の測距エリア２４Ａを連続点灯し、終点として測距エリア２１Ｅ、２０Ｅ、２０Ｄ、２０Ｃ、２０Ｂ、２０Ａの９方向への操作軌跡をＭＥＭ５８に格納し、引き続いて、起点を測距エリア２４Ｄ、２０Ｄ、２０Ａとしそれぞれについての全ての操作軌跡を取得する。取得される軌跡データは全てで３６通りである。但し、水平方向と垂直方向では重複するので、後述するようにそれを除く処理をして都合３２通りの軌跡データが取得される。
【００３１】
更に、カメラ１を縦位置に構え、上記と同様の作業を行い、縦位置でのデータとして前述した横位置でのデータと区別して格納する。
ＣＰＵ５７は、以上のようにして回転操作方向を直接表現する軌跡データを格納すると、次に本来必要な各回転操作方向を区分する境界線を求めるために、図４に示す処理を実行する。
【００３２】
図４は、境界線算出の概念図である。なお、図４には、図３に示す手順で求めた回転操作方向３０、３１の操作軌跡に基づき境界線３３を算出した例を示してある。
ＭＥＭ５８に格納した回転操作方向３０、３１の操作軌跡は、それぞれフォトカプラ４３Ａ、４３Ｂで水平垂直の各成分に分けられている。そこで、ＣＰＵ５７は、その水平垂直成分の中央値をそれぞれ算術平均して境界線３３を求める。このようにして隣接する操作軌跡相互間を２等分して境界線をそれぞれ求めるのである。
【００３３】
その際にＣＰＵ５７は、重複して取得した水平方向と垂直方向の軌跡データについての補正処理を行う。即ち、前述したように、取得される軌跡データは全てで３６通りであるが、水平方向と垂直方向では２個ずつ重複する。
具体的には、測距エリア２０Ａ→２０Ｅへの軌跡データと測距エリア２４Ａ→２４Ｅへの軌跡データ、測距エリア２４Ａ→２０Ａへの軌跡データと測距エリア２４Ｅ→２０Ｅへの軌跡データ、測距エリア２０Ｅ→２０Ａへの軌跡データと測距エリア２４Ｅ→２４Ａへの軌跡データ、測距エリア２０Ａ→２４Ａへの軌跡データと測距エリア２０Ｅ→２４Ｅへの軌跡データは、それぞれ同じ方向を表す。従って、ＣＰＵ５７は、それらを平均して中間値を求めるのである。
【００３４】
以上の境界線算出処理によって３２個の境界線、つまり全領域を３２分割する境界線が得られる。図４に示すように、境界線３３の反時計回り方向側を領域３５ＲＵ−１、時計回り方向側を領域３５Ｒと名付けると、境界線とそれに挟まれる領域との関係は図５に示すようになる。
これにより、図１２に示したように複数の測距エリアが離散配置される場合、撮影者の操作癖で多少実際の操作方向が目的の測距エリアから外れることがあってもほぼ確実に目的の測距エリアを指定できることになる。
【００３５】
図５は、以上のようにして求めた境界線とそれに挟まれる領域を部分的に示す図である。トラックボール１０の実際の操作回転方向が、例えば領域３５Ｒに入る場合は水平右方向と判定され、領域３５Ｒを２等分する方向が実際の指示方向となる。
ここで、注意すべきことは、図５において、右上半分の領域は細分化されているが、それぞれの領域は等分ではなく、図３で説明した操作指示に従って入力した信号に従うために、撮影者の操作癖を反映した領域配分になっていることである。
【００３６】
なお、縦位置撮影時では、図５とは異なる領域配分となるが、その切替は、姿勢センサ９の信号によって行われる。
次に、図６と図７を参照してトラックボール１０の操作で露出条件を変更する例を説明する。図６は、表示器の露出条件に関する表示例である。図６は、変更モードでの表示例及び操作手順の説明図である。
【００３７】
図６において、表示器５の表示画面の周辺には、シャッタタイム用のセグメント７０、絞り値用のセグメント７１、露出モード用のセグメント７３、露出補正値用のセグメント７４がそれぞれ配置され、中央部には周辺の４つのセグメントの何れを変更対象とするかの指示用のセグメント７２が配置される。
この場合には、表示器５の表示画面の周辺４カ所を選択するので、生成される信号（選択信号）は、測距エリアの選択操作での信号（選択信号）よりも更に間隔の広い離散的な信号に置換されることになる。
【００３８】
なお、露出モード用のセグメント７３は、ＰＳＡＭの何れか１つを表示するが、Ｐはプログラム優先の露出モード、Ｓはシャッタ優先の露出モード、Ａは絞り優先の露出モード、Ｍはマニュアルの露出モードをそれぞれ示す。
図７において、図７（ａ）は、シャッタ優先モードＳの内容変更可の状態表示例である。即ち、セグメント７０はセグメント７０Ａとして、シャッタタイムが１／２０００に設定されていることを示し、セグメント７１はセグメント７１Ａとして、絞り値がＦ５．６に設定されていることを示し、セグメント７３はセグメント７３Ａとして、シャッタ優先モードＳに設定されていることを示し、セグメント７４はセグメント７４Ａとして、露出補正値が±０．３段に設定されていることを示し、セグメント７２がセグメント７２Ａとしてセグメント７０Ａを指示しシャッタタイムの変更が可能であることを示している。
【００３９】
図７（ｂ）は、モード変更操作の説明図である。トラックボール１０を図示するように上下方向１１と左右方向とに回転させると、それに連動してセグメント７２の指示方向が４方向へ切り替わり、セグメント７２が指示した要素についてその値の変更が可能となる。トラックボール１０の回転操作とセグメント７２の指示変更とは感覚的に一致することが解る。前述した校正処理の成果である。
【００４０】
図７（ａ）は、シャッタタイムの値の変更が可能な状態を示していることは前述したが、図７（ａ）に示すように、シャッタ優先モードの場合は、絞り値は、自動的に演算されて決定されるので、矛盾を防止するためにセグメント７２Ａがセグメント７１Ａを指示する表示は不可能とすべきである。従って、トラックボール１０を回転させてセグメント７１Ａを指示することはできず、自動的にスキップするようにしてある。
【００４１】
図７（ｃ）は、シャッタ優先モードＳの内容変更時の表示例である。図７（ｄ）は、シャッタタイムＳの内容変更操作の説明図である。以上のようにしてセグメント７２Ａでシャッタタイムを表すセグメント７０であるセグメント７０Ｂを指示し、シャッタタイムを変更しようとする場合、図示省略した変更ボタンを押しながら、図７（ｄ）に示すようにトラックボール１０を上下方向１１に回転させると、シャッタタイムの値が変化する。図７（ｃ）は、セグメント７０Ｂとして示すように、シャッタタイムが１／５００に変更された時の状態を示す。
【００４２】
このシャッタタイムの変更モードでは、トラックボール１０の上下方向１１への回転のみに連動するが、トラックボール１０の回転方向は、厳密な上下方向である必要はなく、信号を、図５において最上方向の領域３５Ｕの右側領域３５Ｕ−１、３５Ｕ−２、３５Ｕ−３を含むように発生し、撮影者のラフな操作に対応できるようにしてある。
露出モードや絞り値、露出補正値等の値を変える場合もトラックボール１０をその該当セグメントに向けて回転操作させれば良く、各要素の値の変化とトラックボール１０の回転操作方向とは感覚的に合致したものとなり、操作性が向上する。
【００４３】
次に、図８は、本発明の第２実施の形態のカメラの外観図である。この第２実施の形態のカメラ１では、トラックボール１０に変えて、タッチパネル６５を設けたものである。タッチパネル６５の表面で指先を触れながら例えば上下方向１１、左右方向１２へ移動させると、その指示方向を検出できる。
タッチパネル６５による指示方向の検出方式には、指の押圧を機械的に検知するスイッチ方式、指の感触で静電誘導的に検知する方式などがある。何れの場合も、図示するように、上下方向１１、左右方向１２は、カメラ１の外形に対して傾斜関係にあり、かつその傾斜程度には個人差がある。
【００４４】
このようなタッチパネル６５を採用したカメラ１に対しても、以上説明した本発明の手動操作補正方式は同様に適用でき、同様の効果が得られる。
次に、図９と図１０を参照して以上説明した本発明の手動操作補正方式の動作を説明する。図９は、本発明の実施の形態の動作フローチャートである。図１０は、校正モードでの動作フローチャートである。
【００４５】
図９に示す処理は、バッテリが接続され、シャッタボタン３（４）の第１段階への押圧によって電源スイッチが投入されると開始され、電源タイマ等によって給電が維持されている間繰り返し実行される。
図９において、Ｓ１では、校正ボタン８が操作され、校正モードの指示がされたか否かを判定する。校正ボタン８が操作されていれば、判定は肯定（ＹＥＳ）となりＳ２にて校正モード処理を実行しＳ１に戻る。Ｓ２の校正モード処理は後述する（図１０）。
【００４６】
Ｓ１において校正ボタン８が操作されていなければ、判定は否定（ＮＯ）となりＳ３に進み、ＭＥＭ５８から前回表示器５に表示された設定条件など前回設定された各種の条件を読み出し、Ｓ４に進む。
Ｓ４では、測光センサ５０から被写体輝度信号を取り込み、感度検出回路５３からフィルム感度信号を取り込み、Ｓ５に進む。
【００４７】
Ｓ５では、Ｓ４で取り込んだ被写体輝度信号及びフィルム感度信号をＳ３で読み出した各種条件に応じて演算し適正露光条件を算出した後、シャッタタイム、絞り値を決定し、表示器５にその結果を表示し、Ｓ６に進む。
Ｓ６では、姿勢センサ９によりカメラ１の撮影姿勢を判断し、Ｓ７に進む。なお、このＳ６の処理をＳ５の前に行い、カメラ１の撮影姿勢を露出条件算出の条件に使用しても良い。
【００４８】
Ｓ７では、モードスイッチ７の切替状態が、ＡＥモード（露出モード）であるか、測距モードであるかを判定する。表示器５の表示画面は、前述したように、測距モードでは図１２（図１４）に示すようになり、露出モードでは図６に示すようになる。
Ｓ７においてＡＥモードでなければ、即ち測距モードであれば判定は肯定（ＮＯ）となりＳ８に進み、一方ＡＥモードであれば判定は肯定（ＹＥＳ）となりＳ１０に進む。
【００４９】
Ｓ８では、トラックボール１０が操作されているか否かを検出する。操作されている場合は、判定は肯定（ＹＥＳ）となり、Ｓ９とＳ１４とＳ１５の各処理を行い、Ｓ１６に進み、レリーズに備える。一方、トラックボール１０が操作されていなければ、判定は否定（ＮＯ）となり、直接Ｓ１６に進み、レリーズに備える。
Ｓ９とＳ１４とＳ１５では次の処理が実行される。即ち、トラックボール１０の操作方向とその量を求め、ＭＥＭ５８に格納した領域区分（図５参照）との比較を行い、撮影者が真に望んだ操作方向を導出し（Ｓ９）、その結果に従い表示器５の表示内容を変更し（Ｓ１４）、またその結果をＭＥＭ５８に更新記憶する（Ｓ１５）。
【００５０】
一方Ｓ７においてＡＥモードであると判定された場合は、Ｓ１０にてトラックボール１０が操作されているか否かを検出する。操作されている場合は、判定は肯定（ＹＥＳ）となり、Ｓ１１にて図示省略した変更ボタンが押されているか否かを判定する。
変更ボタンが押されていなければ、Ｓ１１の判定は否定（ＮＯ）となりＳ１２にて図７（ａ）（ｂ）で説明したモード変更処理を行う。一方、変更ボタンが押されている場合は、Ｓ１１の判定は肯定（ＹＥＳ）となりＳ１３にて図７（ｃ）（ｄ）で説明した条件変更処理を行う。そして、Ｓ１２とＳ１３の各処理結果を表示・記憶し（Ｓ１４、Ｓ１５）、レリーズに備える（Ｓ１６）。
【００５１】
他方Ｓ１０においてトラックボール１０が操作されていなければ、判定は否定（ＮＯ）となり直接Ｓ１６に進み、レリーズに備える。
Ｓ１６では、シャッタボタン３（４）が第２段階まで深く押され、露光開始の指令、即ちレリーズ指令が発せられたか否かを判定する。シャッタボタン３（４）が第２段階まで深く押されていなければ、露光動作は不要であるので判定は否定（ＮＯ）となり、Ｓ１に戻り、以上説明した処理を処理を繰り返す。
【００５２】
一方、Ｓ１６においてシャッタボタン３（４）が第２段階まで深く押されていければ、判定は肯定（ＹＥＳ）となってＳ１７に進み、所定の露光シーケンスを実行する。即ち、絞り６１をＳ５で求めておいた所定値に制御し、シャッタ６０をＳ５で求められた値に応じて所定時間開き、その給送モータ６２を駆動してフィルムを１コマ分巻き上げる。そして、Ｓ１に戻り、次の露光に備える。
【００５３】
次に図１０を参照して図３〜図５で説明した校正モードの動作を説明する。図１０において、Ｓ２０では、カメラ１を横にした通常位置の姿勢とすべく表示器５に設けてある所定のセグメントに「カメラ１を水平に構えさせる指示表示」を行う。カメラ１の姿勢は、姿勢センサ９にて判断できるので、指示に従っていない場合は然るべき警告を行う。
カメラ１が水平支持されると、測距エリア２４Ａを連続点灯し（Ｓ２１）すると共に、測距エリア２４Ｅを点滅灯する（Ｓ２２）。即ち、図３（ａ）に示した操作指示の表示をしたのである。
【００５４】
そして、Ｓ２３でトラックボール１０が指示に従って回転操作されるのを監視しする。トラックボール１０が指示に従って回転操作されると、Ｓ２３の判定は肯定（ＹＥＳ）となり、図３（ｂ）に示した操作方向３０の操作軌跡をＭＥＭ５８に格納する（Ｓ２４）。
以降、測距エリア２４Ａを起点とする８つの回転操作方向での操作軌跡を同様に格納し、同様に測距エリア２４Ｄ、２０Ｅを起点とする各回転操作方向での操作軌跡を格納する。
【００５５】
更に、測距エリア２０Ａを連続点灯する（Ｓ２５）と共に、測距エリア２４Ａを点滅灯し（Ｓ２６）、同様に操作軌跡を格納する。以降、点滅測距エリアを順次切り替え、それぞれについての操作軌跡を格納する。
最後に測距エリア２０Ｅを点滅灯し（Ｓ２７）、同様にトラックボール１０の回転操作を監視し（Ｓ２８）、トラックボール１０が指示に従って回転操作されると、Ｓ２８の判定は肯定（ＹＥＳ）となり、操作軌跡をＭＥＭ５８に格納する（Ｓ２９）。
【００５６】
そして、重複している水平垂直の操作軌跡を算術平均などで１つの操作軌跡にまとめ（Ｓ３０）、各操作軌跡を用いて領域の境界を求め（Ｓ３１）、図５に示した３２個の判定領域を決定する。
次いで、外側に位置する測距エリアのうち、１つ置きの測距エリア（２０Ａ、２０Ｃ、２０Ｅ、２２Ａ、２２Ｃ、２２Ｅ、２４Ａ、２４Ｃ、２４Ｅ）を所定時間点滅させ（Ｓ３２）、水平状態での校正が完了したことを告知する。
【００５７】
この告知を見て撮影者は、カメラ１を縦位置に構えるので、カメラ１を縦位置に構えた場合について以上説明したＳ２１〜Ｓ３２までの処理と同等の処理を実行する（Ｓ３３）。
以上の実施の形態は、カメラへの適用例であるが、例えばいわゆるパソコンにおいてマウスを操作する場合に、本発明のカメラと同様の機能を備えれば、操作者の連続操作の内容を逐一処理対象とする必要がなくなり、処理速度の向上等に寄与できる。
【００５８】
また、信号は、トラックボールを利用して生成するようにしたが、予めそれらの信号を格納しておいて、トラックボールを実際に操作した時に信号を出力しそれを選択信号として用いるようにしても良い。
【図面の簡単な説明】
【００５９】
【図１】本発明の第１実施の形態のカメラの外観図である。
【図２】本発明の実施の形態のカメラの構成図である。
【図３】校正モードでの表示例及び操作手順の説明図である。
【図４】境界線算出の概念図である。
【図５】境界線とそれに挟まれる領域との関係図である。
【図６】表示器の露出条件に関する表示例を示す図である。
【図７】変更モードでの表示例及び操作手順の説明図である。
【図８】本発明の第１実施の形態のカメラの外観図である。
【図９】本発明の実施の形態の動作フローチャートである。
【図１０】校正モードでの動作フローチャートである。
【図１１】本発明者の先の出願に係るカメラの外観図（通常位置）である。
【図１２】表示器の測距エリアの表示例を示す図である。
【図１３】本発明者の先の出願に係るカメラの外観図（通常位置）である。
【図１４】表示器の測距エリアの表示例を示す図である。
【符号の説明】
【００６０】
１…カメラ，３・４…シャッタボタン，５…表示器，７…モードスイッチ，８…校正ボタン，９…姿勢センサ，１０…トラックボール，４０Ａ・４０Ｂ…ローラ，４３Ａ・４３Ｂ…フォトカプラ，４５Ａ・４５Ｂ…セクタ，５５…スイッチ群，５７…中央処理装置（ＣＰＵ），５８…メモリ（ＭＥＭ），６５…タッチパネル
【図１】
2007058226.tif 000003
【図２】
2007058226.tif 000004
【図３】
2007058226.tif 000005
【図４】
2007058226.tif 000006
【図５】
2007058226.tif 000007
【図６】
2007058226.tif 000008
【図７】
2007058226.tif 000009
【図８】
2007058226.tif 000010
【図９】
2007058226.tif 000011
【図１０】
2007058226.tif 000012
【図１１】
2007058226.tif 000013
【図１２】
2007058226.tif 000014
【図１３】
2007058226.tif 000015
【図１４】
2007058226.tif 000016